(57)【要約】【課題】各ビデオデータに対して録画予約を行ったユーザを録画予約の形態に関わらず容易に特定でき、そのユーザ情報を各ビデオデータのインデックス情報に付加し、複数のユーザが録画したビデオデータのユーザ毎の整理が容易にできるビデオ記録システムを提供する。【解決手段】ビデオデータの録画予約のために、通信ネットワーク７を介して、ユーザから送信された情報を受信する送受信装置２１と、送受信装置２１により受信された情報に、予めユーザ毎に登録されたキーワードが存在するかを検索して、ユーザを特定し、情報に基づいた予約情報に特定されたユーザのユーザ情報を付加する電子メール検査部２６と、電子メール検査部２６により作成された予約情報に基づいた録画対象のビデオデータに対してユーザ情報を付加する制御部２７とを備えた。【選択図】        図１
2005012316.tif 000002
【特許請求の範囲】
【請求項１】
ビデオデータを録画／再生するビデオ記録システムにおけるビデオ記録方法において、
前記ビデオデータの録画予約のために、通信ネットワークを介して、ユーザから送信された情報に、予め前記ユーザ毎に登録されたキーワードが存在するかを検索して、前記ユーザを特定し、前記情報に基づいた録画対象のビデオデータに対して特定された前記ユーザのユーザ情報を付加することを特徴とするビデオ記録方法。
【請求項２】
ビデオデータを録画／再生するビデオ記録システムにおけるビデオ記録方法において、
前記ビデオデータの録画予約のために、通信ネットワークを介して、ユーザから送信された情報に、予め前記ユーザ毎に登録されたキーワード及びプロテクト用キーワードが存在するかを検索して、前記ユーザ及び前記ビデオデータに対するプロテクトの有を特定し、前記情報に基づいた録画対象のビデオデータに対して前記特定されたユーザのユーザ情報及びプロテクト情報を付加することを特徴とするビデオ記録方法。
【請求項３】
請求項１又は２記載のビデオ記録方法において、
前記ユーザから、予め前記ユーザ毎に定められたキーワード又はプロテクト用キーワードを予約情報に付加した情報を送信し、
前記プロテクト情報が付加されたビデオデータは、前記ユーザに対するユーザ認証を行い、その認証結果に基づいて、前記ビデオデータの再生又は消去が許可されることを特徴とするビデオ記録方法。
【請求項４】
ビデオデータを録画／再生するビデオ記録システムにおいて、
前記ビデオデータの録画予約のために、通信ネットワークを介して、ユーザから送信された情報を受信する受信手段と、
前記受信手段により受信された情報に、予め前記ユーザ毎に登録されたキーワード及びプロテクト用キーワードが存在するかを検索して、前記ユーザ及び前記ビデオデータに対するプロテクトの有を特定し、前記情報に基づいた予約情報に特定された前記ユーザのユーザ情報及びプロテクト情報を付加する検査手段と、
前記検査手段により作成された前記予約情報に基づいた録画対象のビデオデータに対して前記ユーザ情報及び前記プロテクト情報を付加する制御手段とを備えたことを特徴とするビデオ記録システム。
【請求項５】
請求項４記載のビデオ記録システムにおいて、
前記検査手段は、複数の前記キーワードが検索されたとき、予め前記ユーザ毎に登録されたキーワード及びプロテクト用キーワードのそれぞれに設定された優先度に基づいて前記ユーザを特定することを特徴とするビデオ記録システム。
【発明の詳細な説明】
【０００１】
【発明の属する技術分野】
本発明はＴＶ放送番組などのビデオデータの録画／再生に使用されるビデオ記録システムに関し、特に、その予約方法とビデオデータの管理方法に関する。
【０００２】
【従来の技術】
近年、パーソナルコンピュータやＨＤＤレコーダなど（以下、システムと呼ぶ）では、ＴＶ録画・再生機能があり、これは受信したＴＶ番組のＡＶ（オーディオ・ビデオ）データをハードディスクドライブなどのような大容量で高速の記録装置に記録するものである。
【０００３】
そして、記録されたビデオデータはシステム上でそれを再生してディスプレイモニタ上に表示される。
【０００４】
また、記録されたビデオデータにはＴＶ番組の日付や開始時間、終了時間、ＴＶ番組名、などの予約データも同時に記録され、ビデオデータのインデックス情報として利用される。
【０００５】
システムでビデオデータを再生するユーザは、まず始めに、各ビデオデータに記録されたインデックス情報から作成されたインデックス情報リストをディスプレイモニタ上に表示し、要望とするビデオデータをインデックス情報リストに基づいて選び出す。
【０００６】
最近では、「サムネイル」と呼ばれるビデオデータに含まれる映像情報の内、ある特定の映像情報を圧縮して得られる静止画も付加してインデックス情報として、ディスプレイモニタへ表示することでユーザはより効率的に目的のビデオデータを選ぶことができるものもある。
【０００７】
また、録画した過去のビデオデータの予約履歴からユーザの嗜好に合ったビデオデータをシステム側がユーザへ選んで自動録画し推薦するパーソナライゼーション技術を利用した製品もある。
【０００８】
また、ＴＶ番組の予約方法も従来の赤外線によるリモコンで予約を行う手段に加えて最近では携帯端末を利用して予約が可能になった。これにより、ＨＤＤレコーダへ電話回線などのネットワークを利用して端末装置から遠隔制御を行いＴＶ番組の録画予約を行うことができる。
【０００９】
しかし、従来のシステムにおけるＴＶ録画・再生機能は、システムを一人のユーザのみで使用している場合には問題は発生しないが、例えば、本システムを家庭の主要ＡＶエンターテイメント機器として、家庭みんなで使用する場合などのように複数のユーザで使用する場合においては、すべてのユーザの録画したビデオデータが混在して存在するために、一人のユーザが再生を要望するビデオデータをすぐに選んで再生したり、整理する際に不便であるという問題があった。
【００１０】
また、他のユーザが録画したビデオデータを間違って消去する可能性もあり、各ユーザの個人データを保護することも困難となっている。
【００１１】
今後はハードディスクの容量も大きくなり録画できるビデオデータの数も多くなるために、さらに不便さは増していくことが考えられる。
【００１２】
また、ユーザ毎の嗜好に合ったビデオデータを精度よく提案するには録画されたビデオデータ毎にユーザを識別することが必要である。
【００１３】
そこで、従来では、ユーザを特定し、ユーザ毎のビデオデータを管理するものとして、ユーザがシステムにログインして、そのユーザプロファイリングによりユーザを認識し、ユーザ毎のビデオデータを録画することが提案されている（例えば、特許文献１参照）。
【００１４】
【特許文献１】
特開２０００−２２４５３３号公報
【００１５】
【発明が解決しようとする課題】
しかし、特許文献１に開示されたものは、システムにログインすることにより、録画時の、ユーザ毎のビデオデータの識別を行っているので、毎回ログインという操作が必要となり、録画予約時などの操作が煩雑となるものであった。
【００１６】
また、従来のリモコンでの録画予約だけではなく、電子メールなどによる録画予約についても、ユーザ毎のビデオデータを管理できなければ完全にビデオデータ毎のユーザ管理はできない。
【００１７】
そこで、本発明の目的は、各ビデオデータに対して録画予約を行ったユーザを録画予約の形態に関わらず容易に特定でき、そのユーザ情報を各ビデオデータのインデックス情報に付加し、複数のユーザが録画したビデオデータのユーザ毎の整理が容易にでき、複数のユーザが使用するマルチユーザ環境での使用に好適なビデオ記録システムを提供することにある。
【００１８】
【課題を解決するための手段】
本発明によるビデオ記録方法は、ビデオデータを録画／再生するビデオ記録システムにおけるビデオ記録方法において、ビデオデータの録画予約のために、通信ネットワークを介して、ユーザから送信された情報に、予めユーザ毎に登録されたキーワードが存在するかを検索して、ユーザを特定し、情報に基づいた録画対象のビデオデータに対して特定されたユーザのユーザ情報を付加するものである。
【００１９】
また、本発明によるビデオ記録方法は、ビデオデータを録画／再生するビデオ記録システムにおけるビデオ記録方法において、ビデオデータの録画予約のために、通信ネットワークを介して、ユーザから送信された情報に、予めユーザ毎に登録されたキーワード及びプロテクト用キーワードが存在するかを検索して、ユーザ及びビデオデータに対するプロテクトの有を特定し、情報に基づいた録画対象のビデオデータに対して特定されたユーザのユーザ情報及びプロテクト情報を付加するものである。
【００２０】
また、本発明によるビデオ記録システムは、ビデオデータを録画／再生するビデオ記録システムにおいて、ビデオデータの録画予約のために、通信ネットワークを介して、ユーザから送信された情報を受信する受信手段と、受信手段により受信された情報に、予めユーザ毎に登録されたキーワード及びプロテクト用キーワードが存在するかを検索して、ユーザ及びビデオデータに対するプロテクトの有を特定し、情報に基づいた予約情報に特定されたユーザのユーザ情報及びプロテクト情報を付加する検査手段と、検査手段により作成された予約情報に基づいた録画対象のビデオデータに対してユーザ情報及びプロテクト情報を付加する制御手段とを備えたものである。
【００２１】
【発明の実施の形態】
以下、本発明の実施の形態を図面に基づいて詳細に説明する。なお、実施の形態を説明するための全図において、同一部材には同一の符号を付し、その繰り返しの説明は省略する。
【００２２】
図１は本発明の一実施の形態によるビデオ記録システムの一例を示す構成図、図２はビデオ記録システムの使用環境を説明する説明図である。
【００２３】
図１において、ビデオ記録システムは、受信手段である送受信装置２１、記録装置２２、ＴＶチューナ２３から構成されている。
【００２４】
送受信装置２１は固定電話網やインターネット網などの通信ネットワーク７に接続され、予約情報を含んだ電子メールなどのデータの送受信が行われる。
【００２５】
記録装置２２は、ビデオ記録システムを利用するユーザの管理を行うユーザ管理部２４、送受信装置２１で受信された予約情報を含んだ電子メールを検査する検査手段である電子メール検査部２６、予約処理やビデオデータの記録処理などを行う制御手段である制御部２７、ビデオデータを記録するＡＶデータ記録部２８から構成され、電子メール検査部２６には、ビデオ記録システムを利用する各ユーザとそのユーザのユーザ識別子となるキーワードが登録されたユーザ識別子記憶部２５が含まれている。
【００２６】
この記録装置２２は、それ自体を直接操作して、あるいはリモコンを用いてＴＶ録画の録画予約を設定することができるが、また、送受信装置２１で受信した電子メールやコンテンツアプリケーションなどのデータに基づいて、ＴＶ番組の録画予約を設定することができる。
【００２７】
なお、リモコンを用いてＴＶ録画する際には、録画ボタンや予約ボタンが指紋認証と一体化になっており、ユーザが録画ボタンを押すとユーザ認証が同時に行われ、どのユーザが録画したのか識別し、ビデオデータのインデックス情報に付加するようにしてもよい。
【００２８】
ＴＶチューナ２３には受信アンテナ８が接続され、ＴＶ放送局３などからのＴＶ番組を受信する。
【００２９】
なお、これら送受信装置２１、記録装置２２、ＴＶチューナ２３は互いに直接接続されていてもよいし、有線又は無線でネットワーク接続されていてもよく、また、送受信装置２１、記録装置２２、ＴＶチューナ２３が一体化されていてもよい。
【００３０】
図２において、ビデオ記録システムを構成する送受信装置２１、記録装置２２、ＴＶチューナ２３は、ユーザの自宅や事務所などの建物２に設置され、ＴＶ放送局３などからのＴＶ番組などのビデオデータを記録する。
【００３１】
送受信装置２１に接続されている通信ネットワーク７には、電子番組表（ＥＰＧなど）などのコンテンツ４を有し、番組に関する情報を提供する番組情報提供装置５、携帯電話会社の送受信アンテナ６などを介して接続されるユーザの携帯端末１、メールサーバ９が接続され、ユーザは携帯端末１を使用して、番組情報提供装置５、メールサーバ９にアクセスでき、また、送受信装置２１を介して、ビデオ記録システムにアクセスすることもできる。
【００３２】
なお、通信ネットワーク７は、固定電話網やインターネット網などデータを送受信できるものであればよく、固定電話網としては、建物２内の電話回線を送受信装置２１に接続し、この電話回線を介してデータのやり取りをしてもよいし、インターネット網としては、建物２に引かれているインターネット回線を送受信装置２１に接続し、インターネットを介してデータのやり取りをしてもよい。
【００３３】
携帯端末１は、番組情報提供装置５にＴＶ番組表を要求することにより、番組情報提供装置５からＴＶ番組表がダウンロードされ、このＴＶ番組表から所望とするＴＶ番組の録画予約を設定することができる。
【００３４】
番組情報提供装置５は、電子番組表（ＥＰＧなど）などのコンテンツ４を有しており、携帯端末１からの要求により、かかるコンテンツ４や基本アプリケーションなどからの録画予約のためのコンテンツアプリケーションを作成し、通信ネットワーク７及び送受信アンテナ６を介して携帯端末１に送信する。
【００３５】
これにより、携帯端末１ではＴＶ番組表が表示され、ユーザがその内の所望のＴＶ番組を選択することにより、この選択情報が携帯端末１から送受信アンテナ６、通信ネットワーク７を介してユーザの自宅である建物２に送信され、建物２では、これが送受信装置２１で受信されて記録装置２２でのこの選択されたＴＶ番組の録画予約が設定される。
【００３６】
また、番組情報提供装置５からのコンテンツアプリケーションなどを使用せずにＴＶ番組の情報を新聞などから入手し、予約情報を携帯端末１で入力後にメール送信する場合では、送受信アンテナ６、メールサーバ９、通信ネットワーク７を介してユーザの自宅である建物２に送信され、建物２では、これが送受信装置２１で受信されて記録装置２２でのこの選択されたＴＶ番組の録画予約が設定される。
【００３７】
次に、図３及び図４により、この実施の形態で録画予約に使用されるデータの入力について説明する。
【００３８】
図３は一般の電子メールでの録画予約の一例を示した図、図４はコンテンツアプリケーションでの録画予約の一例を示した図である。
【００３９】
図３に示した例は、一般の電子メールを用いて、録画予約をするものであり、例えば、ユーザの携帯端末１上で、ヘッダ４１中の送信先アドレス４４（例えば、Ｔｏ：ＨＤＤ＠ａｂ．ｊｐなど）を入力し、本文４２には予約情報を入力し、最後にこの録画するビデオデータにはプロテクトを行いたいために、ビデオデータにプロテクト処理を行うためのキーワードとなるユーザ識別子の“プロテクト”と入力し、送信ボタン４３を押すことで録画予約のメールがメールサーバ９に送信され、そのメールを送受信装置２１が受信することにより録画予約ができる。
【００４０】
ここで、“プロテクト”と入力する箇所はメールアドレスを入力する箇所以外であれば、例えば、ヘッダ４１の“Ｓｕｂｊｅｃｔ”など、どこでも構わない。
【００４１】
また、送信元のメールアドレスもユーザ識別子のキーワードとして登録することにより、ビデオデータに、プロテクト処理を行わない場合には、本文４２に“プロテクト”と入力しなくてもメールアドレスがユーザ識別子になるので、ユーザを認識することができる。
【００４２】
ただし、メールアドレスがユーザ識別子のキーワードとして登録していない場合や、ユーザが保有していない携帯端末１から録画予約を行う際には、本文４２にユーザ識別子を入力する。これにより、ユーザが所有していない携帯端末１（すなわち、メールアドレスが不特定となる）でも、録画したビデオデータにはユーザ情報を付加することができる。
【００４３】
例えば、“父”が所有する携帯端末１ではなく、仮に“母”が所有する携帯端末１を使用して“父”が本文４２に“プロテクト”と入力し予約すると、プロテクト処理したユーザ名が“父”のビデオデータが記録されるのでビデオデータ毎のユーザ情報を付加させることが可能である。また、本文中の予約情報にユーザ名を指定できる場合にユーザ名又はユーザ識別子を入力してもよい。
【００４４】
また、電子メール検査部２６での検査でキーワードがない場合には、予約情報中にユーザ名があれば、ユーザ名をインデックス情報とするように制御すればよく、予約情報にもユーザを特定する情報がなければ、全ユーザ共有のビデオデータとして扱うように制御すればよい。
【００４５】
図４に示した例は、コンテンツ（ＥＰＧなど）４をダウンロードし、コンテンツアプリケーションを使用して録画予約を行う例であり、ダウンロードしたコンテンツ４からＴＶ番組を選択すると予約情報が自動的に設定され、ユーザはメモ４５に、ビデオデータにプロテクト処理を行うためのキーワードとなるユーザ識別子である“プロテクト”を入力し、送信先である送信先アドレス４４（例えば、Ｔｏ：ＨＤＤ＠ａｂ．ｊｐなど）を入力し録画ボタン４６を押すことにより、その録画予約の内容がメールとしてメールサーバ９に送信され、そのメールを送受信装置２１が受信することにより録画予約ができる。
【００４６】
ここでも、図３に示した例と同様に、送信元のアドレスもユーザ識別子のキーワードとして登録することにより、ビデオデータに、プロテクト処理を行わない場合には、メモ４５に“プロテクト”と入力しなくてもメールアドレスがユーザ識別子になるので、ユーザを認識することができる。
【００４７】
また、ビデオデータにプロテクト処理を行うならばメモ４５にプロテクト用のキーワードとなるユーザ識別子である“プロテクト”を入力し、また、プロテクト処理を行わない場合でも、ユーザが所有していない携帯端末１（すなわち、メールアドレスが不特定となる）から録画予約を行う場合には、ユーザを特定するキーワードとなるユーザ識別子“プロテクト”などを入力して録画予約を行う。
【００４８】
なお、この例では、録画予約のデータを電子メールで送信する例を示しているが、携帯端末１とビデオ記録システムが通信ネットワーク７を介して、電話回線網やインターネット網などにより直接接続される場合には、図４に示す録画予約のデータを直接、ビデオ記録システムの送受信装置２１に送信し、電子メールによる録画予約と同様に録画予約のデータとして、扱うようにしてもよい。
【００４９】
この場合、ユーザの携帯端末１に設定されているメールアドレスのデータも一緒に送信するようにすれば、プロテクト処理を行わない場合には、メモ４５に何も入力しなくても、メールアドレスがユーザ識別子になるので、ユーザを認識することができる。
【００５０】
次に、ユーザ識別子記憶部２５に登録されるユーザ識別子となるキーワードについて説明する。
【００５１】
図５はユーザ識別子記憶部に登録されるユーザ識別子となるキーワードの一例を示した図である。
【００５２】
図５に示すように、ユーザ識別子記憶部２５には、例えば、ユーザ管理部２４などにより、予め、ビデオ記録システムを利用する各ユーザのユーザ名５１、そのユーザのユーザ識別子となるキーワード５２、キーワード５２によりビデオデータのプロテクト処理を行うかどうかのプロテクトの有無のデータが登録されている。
【００５３】
図５に示した例では、ユーザ名５１の“父”に対して、プロテクト処理を行わないユーザ識別子のキーワード５２として自分のメールアドレスや“父”が登録され、プロテクト処理を行うユーザ識別子として“プロテクト”が登録されている。
【００５４】
また、ユーザ名５１の“母”に対して、プロテクト処理を行わないユーザ識別子のキーワード５２として自分のメールアドレスが登録され、プロテクト処理を行うユーザ識別子として“ｓｅｃｒｅｔ”が登録されている。
【００５５】
また、ユーザ名５１の“兄”に対して、プロテクト処理を行わないユーザ識別子のキーワード５２として自分のメールアドレスが登録され、プロテクト処理を行うユーザ識別子は登録されていない。
【００５６】
また、ユーザ名５１の“妹”に対して、プロテクト処理を行わないユーザ識別子のキーワード５２として自分のメールアドレスが登録され、プロテクト処理を行うユーザ識別子は登録されていない。
【００５７】
また、各キーワード５２には、優先度が設定されており、例えば、プロテクト有のキーワードの優先度が高く、プロテクト無のキーワードの優先度が低く、また、プロテクト無のキーワードの中でも、メールアドレスのキーワードの優先度が一番低く設定される。
【００５８】
これにより、例えば、“父”が所有する携帯端末１ではなく、仮に“母”が所有する携帯端末１を使用し、キーワードとして、“プロテクト”と入力し予約した場合、送信元のメールアドレスは“母”のメールアドレスとなるが、メールアドレスよりも優先度の高い、“父”のプロテクト有のキーワードである“プロテクト”が入力されているため、この録画予約によるビデオデータには“父”のユーザ情報が付加されることになる。
【００５９】
また、録画予約時に、異なるユーザに対する同じ優先度のキーワードが録画予約のキーワードとして入力された場合は、複数のユーザのユーザ情報をビデオデータのユーザ情報に付加してもよい。
【００６０】
この場合は、ＡＶデータ記録部２８に記録されているビデオデータのインデックス情報のリストをユーザ毎に表示する際には、ユーザ情報が付加されたそれぞれのユーザの一覧に表示させることができる。
【００６１】
また、ユーザのメールアドレスは、ビデオ録画システムのユーザ管理の情報として、管理されているものを使用してもよく、キーワードとしては、ユーザのメールアドレス以外のものを登録するようにしてもよい。
【００６２】
この場合でも、ユーザのメールアドレスは、キーワードが入力されていないときなど、ユーザ識別子としては優先度の低いものとして使用される。
【００６３】
また、メールの署名部分に記載されている内容をユーザ識別子として登録してもよい。また、ユーザ識別子のキーワードは複雑なものを選ぶのが好ましく、予約情報に含まれないキーワードを選ぶのが好ましい。
【００６４】
なお、予約情報の内容と、その他の箇所に入力されているキーワードを区別して認識するようにすれば、予約情報に含まれる可能性のあるキーワードを、各ユーザのキーワードに使用することも可能である。
【００６５】
次に、この実施の形態のビデオ記録システムの動作について説明する。
【００６６】
図６はビデオ記録システムの動作を示すフローチャートである。
【００６７】
まず、電子メールを送受信装置２１が受信し（ステップ３１）、受信した電子メールに記録装置２２への予約情報が含まれているか否かを判断する（ステップ３２）。
【００６８】
そして、ステップ３２で予約情報が含まれていないと判断されると、ステップ３１に戻り、ステップ３２で予約情報が含まれていると判断されると、その電子メールを電子メール検査部２６に渡し、電子メール検査部２６で電子メール内の予約情報をチェックする（ステップ３３）。
【００６９】
そして、電子メールに電子メール検査部２６内のユーザ識別子記憶部２５に登録されているキーワードが含まれているか否かを検査する（ステップ３４）。
【００７０】
そして、ステップ３４での検査の結果、電子メールにユーザ識別子記憶部２５に登録されているキーワードが含まれていない場合には制御部２７へ、ステップ３３でチェックされた予約情報を送付し（ステップ３５）、予約情報に基づいて制御部２７はＡＶデータ記録部２８にビデオデータを記録する。
【００７１】
また、ステップ３４での検査の結果、ユーザ識別子記憶部２５に登録されているキーワードと同一なものが検索された場合には、その検索されたキーワードがプロテクト有のキーワードか否かを検査する（ステップ３６）。
【００７２】
そして、ステップ３６での検査の結果、プロテクト有のキーワードでない場合は、ステップ３３でチェックされた予約情報にキーワードに対応したユーザ情報を追加して（ステップ３７）、制御部２７へ送付し、制御部２７は予約情報に基づいてＡＶデータ記録部２８にユーザ情報を付加したビデオデータを記録する。
【００７３】
また、ステップ３６での検査の結果、プロテクト有のキーワードである場合は、ステップ３３でチェックされた予約情報にキーワードに対応したユーザ情報とプロテクト情報を追加して（ステップ３８）、制御部２７へ送付し、制御部２７は予約情報に基づいてＡＶデータ記録部２８にユーザ情報を付加したビデオデータにプロテクト処理を行い記録する。
【００７４】
また、ユーザ情報を含んだ予約情報は録画したビデオデータのインデックス情報として記録できる。
【００７５】
次に、ＡＶデータ記録部２８に記録されているビデオデータのインデックス情報リストをモニタ画面などに表示する一例について説明する。
【００７６】
図７〜図９はＡＶデータ記録部に記録されているビデオデータのインデックス情報リストをモニタ画面などに表示した一例を示した図である。
【００７７】
まずは、図７に示すように、ＡＶデータ記録部に記録されている、全ユーザのビデオデータのインデックス情報リスト６１がモニタ上に表示される。
【００７８】
この表示では、ユーザを特定し予約情報に付加することによって、それぞれのビデオデータのインデックス情報にユーザ名も表示されている。
【００７９】
そして、ユーザが“父”のインデックス情報６２を選んでユーザ毎表示６３を選択すると、図８に示すように、すべてのインデックス情報からユーザである“父”を含んでいるインデックス情報を検索することでユーザ毎のインデックス情報リスト６４の表示がされる。
【００８０】
なお、ここまでの表示は、表示するユーザ以外のユーザであっても、ユーザが表示されているインデックス情報６２を選択して、ユーザ毎表示６３を選択することにより表示することができ、図８に示す画面には、“父”により、プロテクト処理されて録画されたビデオデータのインデックス情報は表示されていない。
【００８１】
また、図８に示す全ユーザ表示６６を選択することにより、再度、図７に示すような全ユーザのインデックス情報リスト６１を表示することができる。
【００８２】
そして、図８に示すプロテクト解除６７を選択することにより、現在表示されているユーザのプロテクト解除の処理が行われる。
【００８３】
ここでは、例えば、ユーザに対して、予め設定されているパスワードなどを入力させ、そのパスワードにより、ユーザ認証を行い、認証結果に基づいてユーザか否かを判断し、ユーザであることが確認できたら、プロテクトを解除し、図９に示すインデックス情報リスト６８が表示され、プロテクト処理をしたインデックス情報６９も表示される。
【００８４】
なお、このユーザ認証は、リモコンによる指紋認証などにより、ユーザ認証を行うようにしてもよい。
【００８５】
なお、この実施の形態では、送受信装置２１で予約情報が含まれている電子メールを受信しているが、送受信装置２１にＰＣなどの端末装置を接続し、予約情報が含まれていない電子メールは、ＰＣなどの端末装置に送るようにしてもよい。
【００８６】
この実施の形態では、録画対象のビデオデータ毎に、ユーザから送られた予約情報に含まれるキーワードにより、確実にその録画を要求したユーザの識別が行われ、ユーザ情報が付加した形で記録装置に記憶されるため、各ビデオデータに対するインデックス情報にユーザ情報を加えることができ、他のユーザが録画したビデオデータと分けて管理できるので整理するのが容易である。また、必要に応じてプロテクト情報も付加することで他のユーザからは見られないようにすることができるので、データの保護、及び個人のプライバシーの保護を図ることが可能となり、また、青少年に対して有害な映像を見せないこともできる。
【００８７】
【発明の効果】
以上のように、本発明によれば、ビデオデータの録画予約のために、通信ネットワークを介して、ユーザから送信された情報に、予めユーザ毎に登録されたキーワードが存在するかを検索して、ユーザを特定し、情報に基づいた録画対象のビデオデータに対して特定されたユーザのユーザ情報を付加するようにしたので、録画対象のビデオデータ毎に確実にその録画を要求したユーザの識別が行われ、各ビデオデータに対するインデックス情報にユーザ情報も加わるために他のユーザが録画したビデオデータと分けて管理でき、整理するのが容易である。
【００８８】
また、予め前記ユーザ毎に登録されたキーワード及びプロテクト用キーワードが存在するかを検索して、ユーザ及び前記ビデオデータに対するプロテクトの有無を特定し、情報に基づいた録画対象のビデオデータに対して特定されたユーザのユーザ情報及びプロテクト情報を付加するようにしたので、必要に応じてプロテクト情報も付加することで他のユーザからは見られないようにすることができるので、データの保護、及び個人のプライバシーの保護を図ることが可能となり、また、青少年に対して有害な映像を見せないこともできる。
【図面の簡単な説明】
【図１】本発明の一実施の形態によるビデオ記録システムの一例を示す構成図である。
【図２】本発明の一実施の形態によるビデオ記録システムの使用環境を説明する説明図である。
【図３】本発明の一実施の形態による一般の電子メールでの録画予約の一例を示した図である。
【図４】本発明の一実施の形態によるコンテンツアプリケーションでの録画予約の一例を示した図である。
【図５】本発明の一実施の形態によるユーザ識別子記憶部に登録されるユーザ識別子となるキーワードの一例を示した図である。
【図６】本発明の一実施の形態によるビデオ記録システムの動作を示すフローチャートである。
【図７】本発明の一実施の形態によるＡＶデータ記録部に記録されているビデオデータのインデックス情報リストをモニタ画面などに表示した一例を示した図である。
【図８】本発明の一実施の形態によるＡＶデータ記録部に記録されているビデオデータのインデックス情報リストをモニタ画面などに表示した一例を示した図である。
【図９】本発明の一実施の形態によるＡＶデータ記録部に記録されているビデオデータのインデックス情報リストをモニタ画面などに表示した一例を示した図である。
【符号の説明】
１…携帯端末、２…建物、３…ＴＶ放送局、４…コンテンツ、５…番組情報提供装置、６…送受信アンテナ、７…通信ネットワーク、８…受信アンテナ、２１…送受信装置、２２…記録装置、２３…ＴＶチューナ、２４…ユーザ管理部、２５…ユーザ識別子記憶部、２６…電子メール検査部、２７…制御部、２８…ＡＶデータ記録部。
【図１】
2005012316.tif 000003
【図２】
2005012316.tif 000004
【図３】
2005012316.tif 000005
【図４】
2005012316.tif 000006
【図５】
2005012316.tif 000007
【図６】
2005012316.tif 000008
【図７】
2005012316.tif 000009
【図８】
2005012316.tif 000010
【図９】
2005012316.tif 000011